(57)【要約】  【課題】感情表現などを豊かにして視聴者に対して再生するのに好適な再生装置を提供する。  【解決手段】再生対象を再生対象保持部２０１で保持し、再生部２０２で再生を行なう。一方、条件情報保持部２０３は、再生対象に基づいて所定の効果を発生するための条件を定める条件情報を保持し、判断部２０４で、再生部２０２での再生対象の再生が、条件情報を満たすかどうかを判断する。もし、条件情報が満たされたと判断された場合には、条件情報に関連付けて保持されている効果識別情報に従って、効果発生部２０５にて効果を発生する。【選択図】  図３
2005135190.tif 000002
【特許請求の範囲】
【請求項１】
再生対象を保持する再生対象保持部と、
前記再生対象保持部に保持された再生対象を再生する再生部と、
再生対象に基づいて所定の効果を発生するための条件を定める情報である条件情報を、前記所定の効果を識別する情報である効果識別情報と関連付けて保持する条件情報保持部と、
前記再生部での再生対象の再生が前記条件情報保持部に保持された条件情報を満たすか判断する判断部と、
前記判断部での判断結果が所定の条件を満たすとの判断結果である場合に、前記条件情報と関連付けられた効果識別情報に基づいて所定の効果を発生するための効果発生部と、
を有する再生装置。
【請求項２】
前記再生対象は、表示対象であり、前記条件情報は、前記表示対象と、前記再生部において固定された所定エリアとの関係が所定の関係であるエリア関係となることである請求項１に記載の再生装置。
【請求項３】
前記所定エリアを前記再生部のなかで移動させるためのエリア移動部を有する請求項２に記載の再生装置。
【請求項４】
前記再生対象は、表示対象であり、前記条件情報は、前記表示対象が定められた所定の表示対象であるとの条件を示す情報である請求項１に記載の再生装置。
【請求項５】
前記条件情報は、前記再生対象の前記再生部での処理に起因して計測される時間が所定の条件を満たすとの条件を示す情報である請求項１に記載の再生装置。
【請求項６】
前記条件情報は、前記再生対象に対する前記再生部での処理が所定の処理であるとの条件を示す情報である請求項１に記載の再生装置。
【請求項７】
前記条件情報は、前記再生対象保持部に再生対象が保持された状態で、自身に対してなされた操作が所定の操作であるとの条件を示す情報である請求項１に記載の再生装置。
【請求項８】
前記再生対象は文章であり、前記条件情報は前記文章である再生対象の有する意味が所定の意味であるとの条件を示す情報である請求項１に記載の再生装置。
【請求項９】
前記再生対象は、文字、文章中の行、再生部での再生の際のページに含まれる対象、再生部での再生画面に含まれる対象、の何れか一又は二以上の組み合わせである請求項１から７のいずれか一に記載の再生装置。
【請求項１０】
前記効果識別情報は、音、色、再生対象の変形、の何れか一又は二以上の組み合わせにより実現する効果を識別するための情報である請求項１から９のいずれか一に記載の再生装置。
【請求項１１】
前記再生対象は、表示対象であり、前記効果識別情報は、前記再生部に複数のウィンドウを設けて実現される効果を識別するための情報である請求項１から９のいずれか一に記載の再生装置。
【請求項１２】
前記効果識別情報は、アニメーションを前記再生部に表示する効果を識別するための情報である請求項１から９の何れか一に記載の再生装置。
【請求項１３】
前記効果識別情報は、自身以外の他の電子機器にて実現される効果を識別するための情報である請求項１から９のいずれか一に記載の再生装置。
【請求項１４】
前記効果識別情報は、自身以外の他の電子機器を起動する効果を識別するための情報である請求項１から９のいずれか一に記載の再生装置。
【請求項１５】
前記効果発生部での効果の発生の履歴である効果発生履歴情報を保持する効果発生履歴情報保持部をさらに有し、前記効果識別情報は、前記効果発生履歴情報保持部に保持された効果発生履歴情報に基づいて変化する効果を識別するための情報である請求項１から９のいずれか一に記載の再生装置。
【請求項１６】
前記再生対象は、音声である請求項１に記載の再生装置。
【請求項１７】
前記条件情報は、前記再生対象である音声が所定の発音である請求項１６に記載の再生装置。
【請求項１８】
前記条件情報は、前記再生対象である音声の音圧が所定の音圧である請求項１６に記載の再生装置。
【請求項１９】
前記再生対象は、表示対象及び音声である請求項１に記載の再生装置。
【請求項２０】
前記条件情報は、前記表示対象が所定の条件を満たし、かつ、前記音声が所定の条件を満たすことを示す情報である請求項１９に記載の再生装置。
【請求項２１】
情報取得部を有し、前記情報取得部は、再生対象と同一の機会に条件情報を取得する請求項１から２０のいずれか一に記載の再生装置。
【請求項２２】
前記情報取得部は、前記再生対象保持部に保持された再生対象と関連付けて条件情報を取得する請求項１から２０のいずれか一に記載の再生装置。
【請求項２３】
前記情報取得部は、前記再生対象保持部に保持された再生対象と関連付けられるべき条件情報を識別するための情報である条件情報識別情報を取得する請求項１から２０のいずれか一に記載の再生装置。
【請求項２４】
前記条件情報保持部には、複数の条件情報を保持可能な請求項１から２３いずれか一に記載の再生装置。
【請求項２５】
前記効果発生部には、前記効果識別情報にて識別されて効果を発生するための効果発生情報を保持する効果発生情報保持手段を有する請求項１から２４のいずれか一に記載の再生装置。
【請求項２６】
前記効果発生情報保持手段には、前記効果発生情報が、複数保持されている請求項２５に記載の再生装置。
【請求項２７】
前記情報取得部は、前記効果発生情報を取得する効果発生情報取得手段を有する請求項２５に記載の再生装置。
【発明の詳細な説明】
【技術分野】
【０００１】
本発明は、再生対象などの情報を再生する再生装置に関する。特に、感情表現などを豊かにして視聴者に対して再生対象を再生するのに好適な再生装置に関する。
【背景技術】
【０００２】
デジタル機器の普及に伴ない、テキスト情報、デジタル化などされた音声情報や映像情報などが手軽に再生できるようになってきた。かかる状況において、人は情報の再生において、臨場感、感情表現、インパクトをより求めるようになってきている。
【０００３】
そこで、例えば、特許文献１では電子メールに制御文を埋め込んでおき、電子メールを表示する際には、順次字を大きく表示するなどして視線を誘導し、制御文が埋め込まれた位置に視線が誘導されたときには、その埋め込まれた制御文の記述に従って、音が出るなどの効果を発生する技術が開示されている。
【特許文献１】特開２００１−２６５７０３号公報（第１０ページ）
【発明の開示】
【発明が解決しようとする課題】
【０００４】
しかしながら、上記特許文献１などの視線誘導においては、電子メールなどを読む者が煩わしく感じる。すなわち、電子メールなどを読む者は、読む場所を指定され、また、電子メールなどの文書を読むスピードが強制され、自分の読みたいところを自由に読むことができない。また、難しい表現の場所では、その表現の理解のために読むスピードを落とさざるを得ないが、視線の誘導は、表現の難易度と関係無く行なわれる。
【０００５】
以上のことにより、次第に、視線が誘導されている場所と電子メールなどを読む者が実際に読む場所とが乖離することとなり、読む者が読んでいる内容とは関係の無い効果が発生することになってしまう。
【０００６】
また、表現の難易度を判断し、その判断結果に基づいて視線誘導のスピードを変化させることも考えられるが、再生装置の構成が複雑になってしまう。
【０００７】
また、上記特許文献１では、電子メールに制御文を埋め込む必要があるが、このことは、電子メールを作成する側の負担の増大を招く。すなわち、電子メールを作成する手間が増えて、電子メールの作成が煩雑になる。また、電子メールを作成する装置の構成が複雑となる。また、制御文が埋め込まれるために、電子メールのサイズの増大を招き、通信量が増大するなどの問題がある。
【０００８】
また、電子メールの作成者しか制御文の埋め込みができないので、電子メールを受信したものが、自分の好みに合わせた効果が発生するようにできない。
【課題を解決するための手段】
【０００９】
そこで、このような課題を解決するために、本発明では、次のような再生装置を提供する。すなわち、再生対象を保持する部と、保持された再生対象を再生する部と、再生対象に基づいて所定の効果を発生するための条件を定める情報と、その所定の効果を識別する情報を関連付けて保持する部と、再生する部での再生対象の再生が、条件を満たすかどうか判断する部と、条件が満たされた場合に、その条件に関連付けて保持されている効果を識別する情報に基づいて、所定の効果を発生する部と、を有する再生装置を提供する。
【００１０】
これにより、再生対象を例えば電子メールとした場合には、電子メールを表示した際に、その表示内容に応じた効果を発生させることができるが、その効果は、電子メールに埋め込まれた制御文によって発生するものではなく、再生装置に保持された情報に基づいて発生することとなる。すなわち、電子メールには制御文が含まれる必要がなくなる。この結果、課題が解決される。
【００１１】
また、条件を、例えば、「所定の文字列が特定の領域に表示されること」とすることにより、電子メールの表示をスクロールなどして、所定の文字列が特定の領域に表示されたときに、効果を発生させることができる。所定の領域を、画面の中央など、利用者の視線が届くことが多い場所にすることにより、利用者が見ている文字列などに関連した効果を発生させることができる。この結果、課題が解決される。
【００１２】
なお、所定の領域を移動することが可能となっていてもよい。例えば、利用者の操作により、所定の領域を移動することができるようになっていてもよい。あるいは、所定の効果として、所定の領域が移動可能となっていてもよい。
【発明の効果】
【００１３】
以上のように、本発明によれば、視線誘導を行なうことなく、視聴者に情報の再生を、感情表現を豊かにするなどの効果を伴なって行なうことができる。また、再生対象は、制御文を含む必要がなく、また、視聴者の好みに応じた効果を発生させることができる。
【発明を実施するための最良の形態】
【００１４】
以下、本発明を実施するための最良の形態について、図を用いて説明する。なお、本発明は、これら実施の形態に何ら限定されるものではなく、その要旨を逸脱しない範囲において、種々なる態様で実施し得る。
【００１５】
（本発明の概要）
図１は、本発明を電子メールの表示に適用した場合の例を示す。図１（Ａ）において、画面１００には、フォーカス領域１０１が設定されているものとする。「フォーカス領域」とは、その領域に特定の文字列全体または一部が表示されると、所定の効果が発生する領域である。
【００１６】
図２は、特定の文字列と所定の効果を対応付けた表を例示する。図２の表においては、例えば、一行目にあるように、「文化センター」という文字列全体又は一部がフォーカス領域に表示されると、「ｓｈｏｗ  ｐｈｏｔｏ．ｊｐｇ」で示される効果が発生することが記述されている。「ｓｈｏｗ  ｐｈｏｔｏ．ｊｐｇ」をどのように解釈するかは任意であるが、例えば、ｐｈｏｔｏ．ｊｐｇというファイル名で示される画像ファイルを所定の時間の間表示すると解釈することができる。
【００１７】
なお、図２の表において、左側の列による文字列の指定は、正規表現やワイルドカードを用いて行なわれてもよい。また、文字列を指定するのではなく、プログラムが指定されていてもよい。すなわち、文字列の存在を判断するプログラムを指定する。
【００１８】
図２の表は、例えば、本発明の再生装置が格納するようにしておく。あるいは、適宜必要に応じて、再生装置の外部からダウンロードするようになっていてもよい。また、再生装置の利用者の操作により、内容が変更されるようになっていてもよい。
【００１９】
図１（Ｂ）は、図１（Ａ）の画面１００に表示された電子メールを２行上へスクロールした状態を示す。この状態では、フォーカス領域に、「文化センター」という文字列全体が表示されているので、図２に例示された表により、「ｓｈｏｗ  ｐｈｏｔｏ．ｊｐｇ」が実行される。この結果、例えば、文化センターの外観の写真が表示されたり、文化センターの地図が表示されたりする。
【００２０】
図２（Ｃ）は、図１（Ｂ）の表示をさらに３行スクロールした状態を示す。この状態では、フォーカス領域に「ボレロ」という文字列全体が表示されているので、図２に例示された表により、「ｐｌａｙ  ｂｏｌｅｒｏ．ｍｐ３」が実行される。この結果、例えば、ボレロの音楽が流れたりする。
【００２１】
このようにすることにより、利用者のスクロールの具合に応じて、所定の効果を発生させることができる。また、図２に例示された表を変更することにより、利用者ごとの好みに応じた効果を発生することなどが可能となる。
【００２２】
ここまでの例では、電子メールというテキスト情報の表示ついて説明したが、以下の実施形態で説明するように、他の種類の情報の再生についても同様に適用することが可能である。
【００２３】
（実施形態１）
本発明の実施形態１として、再生対象を保持して再生し、また、再生対象の再生の条件を発生させるべき効果を識別する情報と関連付けて保持し、条件が満たされたかどうかを判断し、条件が満たされた場合には、条件に関連付けて保持されている効果を識別する情報に基づいて効果を発生させる再生装置について説明する。
【００２４】
（実施形態１：構成）
図３は、本実施形態に係る再生装置の機能ブロック図を例示する。再生装置２００は、再生対象保持部２０１と、再生部２０２と、条件情報保持部２０３と、判断部２０４と、効果発生部２０５と、を有する。
【００２５】
「再生対象保持部」２０１は、再生対象を保持する。
【００２６】
図４は、再生対象保持部２０１が再生対象を保持している状態を概念的に例示する。再生対象は、例えば、デジタル情報である。その一つとしては、電子メールにより送信されるテキスト情報がある。また、音声というアナログ情報を所定のエンコーディング方法により符号化した音声情報や、静止画や動画を所定のエンコーディング方法により符号化した画像情報なども例として挙げることができる。このような再生対象を保持する方法としては、半導体メモリ、光ディスク、磁気ディスクなどに蓄積することが挙げられる。また、再生対象は、アナログ情報であってもよい。例えば、磁気テープレコーダにより音の大きさを磁力の強さに変化して記録された音声データであってもよい。なお、再生対象は、音声と映像などをミックスした信号でもよく、再生することにより、人間の複数種類の感覚に同時に刺激を与えるものであってもよい。
【００２７】
「再生部」２０２は、再生対象保持部２０１に保持された再生対象を再生する。例えば、テキスト情報については、そのテキスト情報により表現される文字の並びを表示するための信号を生成する。あるいは、音声情報については、その音声情報が表わす音声信号を生成する。画像情報については、その画像情報が表わす静止画や動画を表わす映像信号を生成する。なお、再生部２０２は、信号を生成するのみではなく、生成された信号に基づいて、表示などを行なうディスプレイ、スピーカなどにより、人間が認知できるような形で情報を提示してもよい。
【００２８】
図５は、再生部２０２の内部の構造を例示する。例えば、再生対象がデジタル情報であれば、再生部２０２は、再生対象保持部２０１に保持された再生対象のうち、必要な部分、あるいは、再生対象の全体をバッファメモリ５０１に読み込み、再生ユニット５０２により、映像信号や音声信号を生成する。また、再生ユニットは、映像信号や音声信号に基づいて、光の変化や音圧の変化を生ぜしめてもよい。これにより、人間が再生対象の再生を直接認知することが可能となる。
【００２９】
図６は、再生対象がテキスト情報である場合の再生部２０２の内部の構造を例示する。この場合、バッファ６０１の内部には、表示がされるべき文字列を行単位で保持する配列６０５へのポインタ配列６０４からなるデータ構造が配置される。表示用メモリ６０２は、バッファ６０１に配置されたデータ構造から、表示が可能な行のテキストを取得して格納する。表示ユニット６０３は、表示用メモリ６０２に格納されたテキストをフォントデータなど（図示せず）を参照して、テキストを表示するための信号を生成する。また、生成された信号に基づいて、ディスプレイ装置により、光の変化を生ぜしめてもよい。
【００３０】
「条件情報保持部」２０３は、条件情報を効果識別情報と関連付けて保持する。
【００３１】
ここに、「条件情報」とは、再生対象に基づいて所定の効果を発生するための条件を定める情報である。「基づいて」とは、因果関係などの何らかの関係が存在することを意味する。すなわち、再生対象と所定の効果の発生との間には、何らかの関係が存在することを意味する。したがって、条件情報は、例えば、再生対象が再生対象保持部２０１に保持されたときに、所定の効果を発生することを定める情報であったり、電子メールなどのテキスト情報が再生対象である場合には、特定の位置に特定の文字列が現れると所定の効果を発生する条件であったりする。条件情報は、特定の文字列によって表現される。また、特定の位置を示す情報をその特定の文字列に関連付けてあってもよい。また、文字列そのもの条件として使用するかわりに、文字列の検出を行なうなど、所定の条件が発生したか否かを検出するためのプログラムを条件情報として使用してもよい。
【００３２】
また、「効果識別情報」とは、所定の効果を識別する情報である。例えば、特定の音を発する命令を示す情報であったり、特定の効果を発することを計算機に実行させるためのプログラムであったりする。
【００３３】
図７は、条件情報保持部２０３が、条件情報を、効果識別情報と関連付けて保持している状態を概念的に例示している。図７には、条件情報は一つしか描かれていないが、複数の条件情報が複数の効果識別情報と関連付けて保持されていてもよい。特にこの場合、条件情報と効果識別情報は１対１に関連付けられている必要はなく、ある効果識別情報が複数の条件情報に関連付けられていてもよい。条件情報を、効果識別情報と関連付けて保持する具体例としては、例えば、半導体メモリ、光ディスク、磁気ディスクなどに、図２に例示された表のデータ構造を保持することを挙げることができる。なお、本明細書において、特に断らない限り、「保持」の機能は、半導体メモリ、光ディスク、磁気ディスクなどを用いて実現される。
【００３４】
なお、条件情報は、再生対象保持部２０１により保持される再生対象と関連付けられていてもよい。
【００３５】
図８は、条件情報と再生対象とを関連付けた表を例示する。このような表により、例えば、再生対象１には、条件情報Ａと条件情報Ｄとが関連付けられている。このように条件情報と再生対象とを関連付けておくことにより、後で説明する判断部２０４は、再生対象１が再生部２０２で再生されている場合には、条件情報Ａと条件情報Ｄとが満たされるかどうかを判断し、その他の条件情報が満たされるかどうかを判断しないようにすることができる。
【００３６】
「判断部」２０４は、再生部２０２での再生対象の再生が、条件情報保持部２０３に保持された条件情報を満たすか判断する。例えば、条件情報が文字列そのもので表わされている場合には、その文字列が再生部により表示などがされているかどうかを判断する。また、条件情報がプログラムによって表わされている場合には、そのプログラムを実行し、プログラムが出力する情報はプログラムの実行結果などに基づいて条件情報を満たすかどうかを判断する。
【００３７】
図９は、判断部２０４の内部の構造を例示する。図９において、判断部２０４は、メモリ９０１と判断回路９０２とを有している。メモリ９０１には、条件情報保持部２０３から取得される条件情報９０３が格納される。判断回路９０２は、再生部２０２での再生対象の再生が、メモリ９０１に格納されている条件情報９０３を満たすかどうかを判断する回路である。例えば、再生部２０２により表示される文字列に、条件情報９０３が示す文字列が含まれるかどうかなどを判断する。
【００３８】
図１０は、判断部２０４の処理の流れ図を例示する。
【００３９】
ステップＳ１００１において、条件情報を条件情報保持部２０３より読み出す。これにより、例えば、読み出された条件情報がメモリ９０１に格納される。
【００４０】
ステップＳ１００２において、再生部２０２での再生対象の再生が条件情報を満たすかどうかを調べる。この処理は、例えば、判断回路９０２により行なわれる。
【００４１】
ステップＳ１００３において、ステップＳ１００２での処理の結果、条件情報が満たされたかどうかを判断する。もし、満たされたと判断された場合には、ステップＳ１００４へ処理を移行する。
【００４２】
ステップＳ１００４において、効果識別情報に基づいた効果を発生させるための判断結果を出力する。例えば、条件情報保持部２０３より、条件情報と関連付けられている効果識別情報を取得し、その効果識別情報を含む判断結果を出力する。あるいは、判断結果には、満たされた条件情報あるいは、その条件情報を識別する情報を含ませておいてもよい。この場合、出力された判断結果を取得した効果発生部２０５が、条件情報保持部２０３より効果識別情報を取得する。
【００４３】
図１１は、後者の場合における条件情報保持部２０３、判断部３０４、効果発生部２０５、判断結果、効果識別情報の関係を例示する。すなわち、効果発生部２０５が判断結果を受け取り、判断結果に含まれる条件情報あるいはその条件情報を識別する情報に基づいて、条件情報保持部２０３より、効果識別情報を取得する。
【００４４】
「効果発生部」２０５は、判断部２０４での判断結果が所定の条件を満たすとの判断結果である場合に、前記条件情報と関連付けられた効果識別情報に基づいて所定の効果を発生する。例えば、効果識別情報が、効果を発生する命令であれば、その命令に従って、効果を発生する。効果としては、例えば、音を鳴らす、画像を表示する、バイブレータを起動する、などが挙げられる。また、効果識別情報がプログラムであれば、そのプログラムを実行することにより、効果を発生させる。
【００４５】
図１２は、効果発生部２０５の処理の流れ図である。ステップＳ１２０１において、判断結果が判断部２０４から入力されるまで待つ。判断結果が入力されると、ステップＳ１２０２へ処理を移行し、効果識別情報を取得する。例えば、判断結果に効果識別情報が含まれている場合には、判断結果より効果識別情報を抽出する。あるいは、判断結果に条件情報または、条件情報を識別する情報が含まれている場合には、条件情報または、条件情報を識別する情報を用いて、その条件情報と関連付けられている効果識別情報を条件情報保持部２０３より取得する。ステップＳ１２０３においては、取得された効果識別情報に基づいて、所定の効果を発生させる。
【００４６】
（実施形態１：計算機による実現）
以上説明した再生装置は、計算機によって実現することが可能である。
【００４７】
図１３は、再生装置を実現するための計算機の機能ブロック図を例示する。計算機１３００は、ＣＰＵ１３０１、メモリ１３０２、入力ユニット１３０３、出力ユニット１３０４、外部インターフェース１３０５を有する。
【００４８】
ＣＰＵ１３０１は、中央演算装置であり、プログラムを実行する。メモリ１３０２は、プログラムの格納、プログラムの実行に伴なう情報の格納を行なう。入力ユニット１３０３は、計算機に対して行なわれる操作によって情報を入力する。出力ユニット１３０４は、プログラムの実行により、情報を出力する。外部インターフェース１３０５は、計算機の外部の装置などと情報を送受信する。なお、外部インターフェース１３０５は、必須ではなく、存在しない場合がある。また、外部インターフェース１３０５に入力ユニット１３０３、出力ユニット１３０４が接続されている場合もある。
【００４９】
ＣＰＵ１３０１は、メモリ１３０２に格納されたプログラムを実行する。この結果、計算機１３００は、再生装置２００として動作することになる。すなわち、再生対象保持部２０１を実現するために、メモリ１３０２の所定の領域に再生対象が格納するためのデータ構造がメモリ１３０２に作られる。この結果、プログラムが再生対象を読み出すことが可能となる。なお、複数の再生対象が存在する場合には、どの再生対象を読み出すかを示す情報が、入力ユニット１３０３から入力されてもよい。また、入力ユニット１３０３からは、再生の停止、再開、スクロール（テキスト情報や画像が表示される場合）、早送り（音声の再生や動画の表示の場合）などの操作を示す情報が入力されたりしてもよい。
【００５０】
読み出された再生対象は、プログラムにより解釈されて、再生される。この再生の結果は、出力ユニット１３０４や外部インターフェース１３０５へ出力される。
【００５１】
また、条件情報保持部２０３を実現するために、条件情報を効果識別情報と関連付けて格納するためのデータ構造がメモリ１３０２に作られる。
【００５２】
判断部２０４を実現するために、プログラムは、条件情報を効果識別情報と関連付けて格納するためのデータ構造を参照して、条件情報を取得し、再生対象を解釈しながら、条件情報が満たされるかどうかを判断する。
【００５３】
もし、条件情報が満たされると判断された場合には、条件情報に関連付けられた効果識別情報を取得して、その効果識別情報に基づいて効果を発生させるために、出力ユニット１３０４や外部インターフェース１３０５に所定の信号がプログラムにより出力される。
【００５４】
このように再生装置を、計算機を用いて実現することにより、例えば、条件情報、効果識別情報を種々のものにすることができる。例えば、再生対象が再生されているときの入力ユニット１３０３からの入力に関する条件を条件情報としたり、外部インターフェース１３０５から入力される信号に関する条件を条件情報としたりすることができる。また、効果識別情報も、出力ユニット１３０４への特定の情報の出力を効果として識別したり、外部インターフェース１３０５から特定の信号を出力することを効果として識別したり、再生部の再生を効果として識別したりすることができる。
【００５５】
なお、上記では計算機という言葉を用いたが、ＰＤＡや携帯電話などの端末装置も計算機に含まれることを注意しておく。
【００５６】
（実施形態１：効果）
本実施形態の再生装置により、再生対象の再生に応じた効果を、再生装置に保持された情報に基づいて発生させることができる。また、再生装置の利用者の操作により条件情報が満たされた場合に効果が発生するので、視線誘導の場合におけるような不具合が発生しない。
【００５７】
（実施形態２）
本発明の実施形態２として、再生対象が表示対象であり、所定のエリアとその表示対象とが所定の関係になることを条件情報とする再生装置について説明する。
【００５８】
（実施形態２：構成）
本実施形態に係る再生装置の機能ブロック図は、実施形態１に係る再生装置と同じである。ただし、本実施形態においては、再生対象は、表示対象となる。例えば、テキスト情報、静止画情報、動画情報などが本実施形態における表示対象となる。また、本実施形態においては、条件情報は、表示対象と、再生部２０２において固定された所定エリアとの関係が所定の関係であるエリア関係となることである。
【００５９】
図１４は、所定エリアを例示する。本実施形態においては、再生対象は、表示対象である。そこで、枠１４０１が表示対象の表示される領域を示す。例えば、ディスプレイで表示が可能な領域である。所定エリアは、枠１４０１内の特定の領域１４０２である。図１４では、特定の領域１４０２は、矩形をしているが、内部と外部とが定まる図形であればよく、円形、三角形などであってもよい。
【００６０】
エリア関係の例を挙げると次のようになる。すなわち、所定エリアの内部に、所定の文字列あるいは所定の画像が表示されることである。あるいは、所定エリアの近傍や外部に所定の文字列あるいは所定の画像が表示されることである。
【００６１】
本実施形態において、判断部２０４は次のような処理を行なう。例えば、表示対象がテキスト情報である場合において、再生部が図６に例示された構成となっているとすると、判断部は、所定エリアの位置に表示されるべき文字列をバッファ６０１より取得する。例えば、所定エリアが３行目全体であれば、配列６０４の３番目の要素を参照し、３行目のテキストを取得する。あるいは、所定エリアが２行目の１０文字目から２０文字目であれば、配列６０４の２番目の要素を参照し、２行目のテキストを取得し、そこから１０文字目から２０文字目までのテキストを取得する。そして、取得されたテキストが所定の文字列を含むかどうかを判断する。
【００６２】
また、表示対象が、静止画情報や動画情報であれば、判断部２０４は所定エリアに表示される部分画像を再生部２０２より取得し、例えば、画像認識を行なう。画像認識の一例を挙げれば、画像全体に対する肌色の部分が占める割合を計算し、所定の割合以上であれば、人が表示されていると判断することである。また、人の顔が表示されるものであれば、顔の構成要素、例えば目、の位置を取得し、各構成要素間の相対的な位置の関係を求め、その顔が誰の顔であるかを判断する。判断部２０４は、このような画像認識により、条件情報で示される画像が表示されているかどうかを判断する。
【００６３】
なお、本実施形態における再生装置は、パーソナルコンピュータのような大きな画面に情報が表示されるものよりも、ＰＤＡや携帯電話のように画面が小型であるものの方がよい。なぜなら、所定エリアの面積が画面全体の面積に対して極めて小さいと、エリア関係が成り立ちにくくなってしまうからである。
【００６４】
（実施形態２：主な効果）
本実施形態の主な効果は、実施形態１の主な効果と同様である。それに加えて、所定エリアの位置を再生装置の利用者の視線のある場所にすることにより、利用者が見ているものに関連した効果を発生させることができ、感情表現を豊かにしたりインパクトを与えたりするなどのことができる。
【００６５】
（実施形態３）
本発明の実施形態３として、所定エリアの移動をさせることができる再生装置について説明する。
【００６６】
（実施形態３：構成）
図１５は、本実施形態に係る再生装置の機能ブロック図を例示する。再生装置１５００は、再生対象保持部２０１と、再生部２０２と条件情報保持部２０３と、判断部２０４と、効果発生部２０５と、エリア移動部１５０１と、を有する。すなわち、本実施形態に係る再生装置は、実施形態２の再生装置がエリア移動部１５０１を有した構成となっている。なお、本明細書においては、同じ定義が適用される部や手段には、同じ符号を割り当てることにする。実際に再生装置を製造する場合には、同じ符号が割り当てられているものであっても、内部の構成が異なる場合がある。
【００６７】
「エリア移動部」１５０１は、所定エリアを再生部２０２のなかで移動させるための部である。例えば、エリア移動部１５０１には、所定エリアを移動するためのボタンが備えられており、そのボタンが操作されたことを検出して、所定エリアを移動させる。ボタンの代わりに、マウスやスタイラスペンなどの操作により所定エリアを移動させてもよい。所定エリアの移動の操作が行なわれたことを示す信号は、再生部２０２に通知されてもよいし、あるいは、判断部２０４に通知されるようになっていてもよい（判断部２０４が、エリア関係が成立するかどうかの判断ができれば、どちらでもよい。）。
【００６８】
また、効果識別情報に所定エリアを移動させる効果を識別する情報があってもよい。そのような効果識別情報に基づいて、効果発生部２０５がエリアを移動させるための信号を生成し、その信号がエリア移動部１５０１に出力されるようになっていてもよい。
【００６９】
（実施形態３：主な効果）
本実施形態によれば、所定エリアを移動させることができるので、再生装置の利用者ごとに視線の置き場所が異なる場合であっても、有効に効果を発生させることができる。また、所定エリアの移動が効果となることにより、例えば、効果を所定の順序で発生させ、どこまで正しい順序で効果を発生させることができたかなどを競うゲームの実現が可能となる。
【００７０】
（実施形態４）
本発明の実施形態４として、再生対象が表示対象となり、条件情報が、表示対象が定められた所定の表示対象であるとの条件を示す情報である再生装置について説明する。
【００７１】
（実施形態４：構成）
本実施形態に係る再生装置の構成は、実施形態１に係る再生装置と同じである。ただし、本実施形態においては、再生対象は表示対象であり、条件情報は、表示対象が定められた所定の表示対象であるとの条件を示す情報である。
【００７２】
（実施形態４：例）
例えば、条件情報は、再生対象を識別する情報としてもよい。この場合、再生対象保持部２０１に保持される再生対象が複数個あり、判断部２０４は、どの再生対象が再生部２０２に再生されているかを示す識別情報を取得して、取得された識別情報と条件情報を比較して、等しいかどうかを判断する。
【００７３】
あるいは、条件情報は、表示対象が表示された場合の画像に関する情報であってもよい。例えば、画像全体に対する肌色の部分の割合を示す情報であってもよい。この場合、判断部２０４は、再生部２０２により表示される画像の肌色の部分の割合を計算して、その割合が条件情報で指定された値以上であるかどうかを判断する。
【００７４】
（実施形態４：主な効果）
本実施形態によれば、実施形態１の主な効果に加えて、表示対象が所定のものであれば効果を発生させるので、例えば、人の侵入を検出した場合に警報を鳴らすことができる効果を有する。
【００７５】
（実施形態５）
本発明の実施形態５として、再生部での処理に基づいて計測される時間に基づいて効果を発生する再生装置について説明する。
【００７６】
（実施形態５：構成）
本実施形態の再生装置の構成は、実施形態１と同じである。ただし、条件情報は、再生対象の再生部２０２での処理に起因して計測される時間が所定の条件を満たすとの条件を示す情報である。
【００７７】
（実施形態５：例）
例えば、「再生部２０２での処理」としては、再生の開始、再生の終了、表示されている再生対象のスクロールなどの移動、再生されている音声や動画の再生の停止、再生の再開、早送り、などがある。
【００７８】
条件情報は、上記の再生部２０２での処理の種別を識別する情報を含み、なおかつ、時間に関する条件を含む。例えば、条件情報が「再生の開始：２０秒後」と表わされる情報を含む場合には、再生の開始から２０秒後に条件情報が満たされる。
【００７９】
（実施形態５：主な効果）
本実施形態は、実施形態１の主な効果に加えて、再生部での処理が開始などされてから、例えば、再生開始から一定時間経過後に効果を発生させることができるので、再生装置の利用者が再生内容を認識してから効果を発生することができ、再生内容と効果とによる感情表現などをより豊かなものにすることができる効果などを有する。
【００８０】
（実施形態６）
本発明の実施形態６として、再生部で所定の処理が行なわれたときに効果を発生させる再生装置について説明する。
【００８１】
（実施形態６：構成）
本実施形態に係る再生装置は、実施形態１に係る再生装置と同じ構成である。ただし、本実施形態においては、条件情報は、再生対象に対する再生部２０２での処理が所定の処理であるとの条件を示す情報となる。
【００８２】
（実施形態６：例）
「再生部２０２での処理」としては、実施形態５において列挙したものがある。
【００８３】
条件情報の例としては、「再生の開始」、「再生の終了」などがある。すなわち、再生部２０２で再生が開始すると満たされる条件、再生が終了すると満たされる条件、などがある。
【００８４】
（実施形態６：主な効果）
本実施形態は、実施形態１の主な効果に加えて、再生部での処理に基づいて効果を発生させることができるので、例えば、音声データの再生において、音声データの再生が全て終了したときに、終了を知らせる効果を発生させることができるなどの効果を有する。
【００８５】
（実施形態７）
本発明の実施形態７として、再生対象が保持されている状態で、自身に対してなされた操作に基づいて効果を発生させる再生装置について説明する。
【００８６】
（実施形態７：構成）
本実施形態に係る再生装置は、実施形態１に係る再生装置と同じ構成である。ただし、本実施形態においては、条件情報は、再生対象保持部２０１に再生対象が保持された状態で、自身に対してなされた操作が所定の操作であるとの条件を示す情報である。ここに、「自身」とは、再生装置２００を意味する。
【００８７】
（実施形態７：例）
所定の操作としては、電源の投入の操作、電源の切断の操作、再生装置の他の機能に対する操作、などがある。「再生装置の他の機能に対する操作」とは、再生対象の再生に係る操作以外の操作である。例えば、再生装置が携帯電話である場合には、電話番号のダイヤル操作、通話ボタンの押下の操作、通話の終了の操作、などがある。
【００８８】
したがって、本実施形態の条件情報としては、「通話ボタン−押下」として記述されるものがある。
【００８９】
（実施形態７：主な効果）
本実施形態は、実施形態１の主な効果に加えて、例えば、再生部２０２で再生などが行なわれている間に、再生に係る操作以外の操作が行なわれたときに効果を発生することができるので、例えば、再生装置の利用者に再生中である旨の注意を促すことができる効果などを有する。
【００９０】
（実施形態８）
本発明の実施形態８として、表示された文章が特定の意味を持つ場合に効果を発生させる再生装置について説明する。
【００９１】
（実施形態８：構成）
本実施形態に係る再生装置は、実施形態１に係る再生装置と同じ構成である。ただし、本実施形態においては、再生対象は文章であり、条件情報は、文章である再生対象の有する意味が所定の意味であるとの条件を示す情報である。「意味」とは、文章の全体又は一部が表示する内容である。文章の有する意味が所定の意味であるかどうかを判断するために、再生装置は、辞書を有し、判断部は、表示された文章と辞書の内容を比較して、条件情報が満たされたかどうかを判断してもよい。
【００９２】
（実施形態８：例）
所定の意味としては、大人向きの内容、子供向きの内容、危険な事柄に関係している、楽しい事柄に関係している、などがある。例えば、文章の漢字の割合で大人向きの内容かどうかを判断する。また、文章を形態素解析によって単語に分解し、その単語により辞書を検索して、単語の表わす意味に基づいて判断してもよい。
【００９３】
（実施形態８：主な効果）
本実施形態は、実施形態１の主な効果に加えて、例えば、文章の有する意味に応じた音楽を演奏するなどし、文章を感情豊かに表現することができる効果などを有する。
【００９４】
（実施形態９）
本発明の実施形態９として、再生対象が種々のものの組み合わせである再生装置について説明する。
【００９５】
（実施形態９：構成）
本実施形態に係る再生装置は、実施形態１から７のいずれか一に係る再生装置と同じである。ただし、本実施形態においては、再生対象は、(1)文字、(2)文章中の行、(3)再生部での再生の際のページに含まれる対象、(4)再生部での再生画面に含まれる対象、の何れか一又は二以上の組み合わせである。文字は、文字コードのみが指定されている場合と、文字を表わす画像情報であってもよい。文章中の行についても、行を構成する文字の文字コードの並びであってもよいし、行を表わす画像情報であってもよい。「再生の際のページ」とは、再生部での表示の単位である。この表示の単位は、例えば、再生部が一度に表示できる領域の大きさに基づいて設定される。「再生の際のページに含まれる対象」とは、一度に表示できる領域に表示される部分の文字や画像などである。「再生部での再生画面に含まれる対象」とは、例えば、再生対象が再生部の画面よりも大きい場合に、再生対象の一部として表示された対象を意味する。
【００９６】
（実施形態９：主な効果）
本実施形態の主な効果は、実施形態１から７のいずれか一の主な効果と同じである。それに加えて、再生対象を(1)文字、(2)文章中の行、(3)再生部での再生の際のページに含まれる対象、(4)再生部での再生画面に含まれる対象、の何れか一又は二以上の組み合わせとすることにより、様々な条件情報が設定できるようになる。
【００９７】
（実施形態１０）
本発明の実施形態１０として、効果識別情報の内容を詳細にした再生装置について説明する。
【００９８】
（実施形態１０：構成）
本実施形態に係る再生装置は、実施形態１から９のいずれか一の再生装置と同じである。ただし、効果識別情報は、(1)音、(2)色、(3)再生対象の変形、の何れか一又は二以上の組み合わせにより実現する効果を識別するための情報である。
【００９９】
例えば、「音」とは、再生装置から発する音や再生装置に接続された機器から発する音である。「色」とは、再生装置から発する光の色や透過したり反射したりする光の色、表示装置に接続された機器から発する光の色や透過したり反射したりする光の色である。「再生対象の変形」とは、再生対象が表示されるものであれば、回転、縮小、拡大、ねじれなどの画像操作により得られる効果である。また、表示対象が音などの聴覚に訴えるものであれば、音量を変化させたり、高周波領域や低周波領域を強調したりカットなどしたりする。また、これらに限定される必要はなく、特定の周波数領域を強調したりすることも含まれる。
【０１００】
（実施形態１０：主な効果）
本実施形態によれば、再生対象が文字のような視覚に訴えるものである場合には、聴覚に訴える効果を発生させたり、再生対象が音のような聴覚に訴えるものである場合には、視覚に訴える効果を発生させたりすることができ、再生対象の再生を感情豊かにするなどして行なうことができる。
【０１０１】
（実施形態１１）
本発明の実施形態１１として、再生部に複数のウィンドウを設けて効果が実現される再生装置について説明する。
【０１０２】
（実施形態１１：構成）
本実施形態に係る再生装置の構成は、実施形態１から９のいずれか一に記載の再生装置の構成と同じである。ただし、本実施形態においては、再生対象は表示対象であり、効果識別情報は、再生部に複数のウィンドウを設けて実現される効果を識別するための情報である。「複数のウィンドウを設けて実現される効果」とは、最初から複数のウィンドウが設けられている状態で実現される効果であってもよいし、あるいは、表示対象が表示されているウィンドウに加えて、新たに別のウィンドウが表示されることにより実現される効果であってもよい。
【０１０３】
例えば、表示対象が表示されたときに、最初から設けられている別のウィンドウに、表示対象の解説文が表示されてもよい。あるいは、特定の表示対象が表示されたときに、「これは大人向けの内容です」という警告文を示すウィンドウが新たに表示されるようになっていてもよい。また、表示対象が文字列であれば、その文字列中の単語の意味が表示されるようになっていてもよい。
【０１０４】
（実施形態１１：主な効果）
本実施形態によれば、表示対象が表示されているのとは別のウィンドウを用いて様々情報を表示することができるので、表示を見るものにインパクトなどを与えることができる。
【０１０５】
（実施形態１２）
本発明の実施形態１２として、アニメーションを表示する再生装置について説明する。
【０１０６】
（実施形態１２：構成）
本実施形態に係る再生装置の構成は、実施形態１から９の何れか一の再生装置と同じである。ただし、本実施形態においては、効果識別情報は、アニメーションを再生部に表示する効果を識別するための情報である。「アニメーション」とは、画像の一種であり、画像の表示位置が時間の経過とともに移動したり、画像の形が変形したりするものである。
【０１０７】
例えば、再生対象が文字列である場合に、表示されている文字列に含まれる人などの名前が表わす人物などの似顔絵をもつ画像をアニメーションとして表示する。また、再生対象が音楽などであれば、その音楽などの再生に伴なって動いたり変形したりするアニメーションを表示する。
【０１０８】
（実施形態１２：主な効果）
本実施形態によれば、再生対象の再生を、アニメーションによりインパクトなどを伴なったように行なうことができる。
【０１０９】
（実施形態１３）
本発明の実施形態１３として、自身以外の電子機器にて効果が実現される再生装置について説明する。
【０１１０】
（実施形態１３：構成）
本実施形態に係る再生装置は、実施形態１から９のいずれか一の再生装置と同じ構成である。ただし、本実施形態においては、効果識別情報は、自身以外の他の電子機器にて実現される効果を識別するための情報である。「自身」とは再生装置を意味する。
【０１１１】
本実施形態における効果としては、例えば、照明の電源を切断する、テレビのチャネルを変える、オーディオ装置により音楽を再生するなどである。したがって、例えば、メールにテレビのチャネルの番号が含まれていれば、その番号に従ってテレビのチャネルが変化することになる。また、メールに音楽の題名などが含まれていれば、その題名に従ってオーディオ装置からその題名を持つ音楽が再生される。
【０１１２】
本実施形態に係る再生装置は、計算機で実現するとよい。この場合、効果識別情報により識別される効果を発生させるための信号が、外部インターフェース１３０５から送信される。送信される信号の一例としては、赤外線がある。あるいは、近距離の通信を行なうために微弱な電波を使用してもよい。
【０１１３】
（実施形態１３：主な効果）
本実施形態によれば、再生装置以外の電子機器により効果が実現されるので、再生装置だけで効果を発生させるよりも、より感情豊かに、あるは、より大きなインパクトを伴なって、再生対象の再生を行なうことができる。
【０１１４】
（実施形態１４）
本発明の実施形態１４として、自身以外の電子機器を起動する効果を発生させる再生装置について説明する。
【０１１５】
（実施形態１４：構成）
本実施形態に係る再生装置は、実施形態１から９のいずれか一の再生装置と同じ構成である。ただし、本実施形態においては、効果識別情報は、自身以外の他の電子機器を起動する効果を識別するための情報である。「自身」とは、再生装置を意味する。
【０１１６】
「起動」とは、効果を発揮させる状態にすることである。したがって、本実施形態における効果としては、電子機器の電源を投入する、電子機器を休止状態から動作状態にする、などを挙げることができる。より具体的な例を挙げると、照明を点等させる、ラジオの電源を投入する、パーソナルコンピュータをスリープ状態から復帰させるなどである。
【０１１７】
このような効果を生じさせるためには、本実施形態に係る再生装置は、計算機で実現するとよい。この場合、効果識別情報により識別される効果を発生させるための信号が、外部インターフェース１３０５から送信される。送信される信号の一例としては、赤外線、電波などがある。
【０１１８】
（実施形態１４：主な効果）
本実施形態によれば、再生装置以外の電子機器により効果が実現可能となるので、再生装置だけで効果を発生させるよりも、より感情豊かに、あるは、より大きなインパクトを伴なって、再生対象の再生を行なうことができる。
【０１１９】
（実施形態１５）
本発明の実施形態１５として、効果の発生の履歴を保持し、その履歴に基づいて効果を生じさせる再生装置について説明する。
【０１２０】
（実施形態１５：構成）
図１６は、本実施形態に係る再生装置の機能ブロック図を例示する。再生装置１６００は、再生対象保持部２０１と、再生部２０２と、条件情報保持部２０３と、判断部２０４と、効果発生部２０５と、効果発生履歴情報保持部１６０１と、を有する。したがって、本実施形態に係る再生装置は、実施形態１から９のいずれか一の再生装置が効果発生履歴情報保持部１６０１を有する構成とすることができる。
【０１２１】
「効果発生履歴情報保持部」１６０１は、効果発生履歴情報を保持する。「効果発生履歴情報」とは、効果発生部２０５での効果の発生の履歴である。「保持する」とはある程度以上の持続性を持って記憶することである。例えば、半導体メモリや、磁気ディスクや、光ディスクを用いて記憶する。
【０１２２】
図１７は、効果発生履歴情報が表の形式で記憶された状態を例示する。図１７の表の各行が一つの効果発生履歴情報を表わしている。左の列は効果が発生した日時を示し、右の列が発生した効果の種類を示している。なお、効果が発生した日時は必須ではない。また、発生した効果の種類を保持するかわりに、効果が発生した事実だけを保持したり、何回効果が発生したかを数えたりするようにしてもよい。
【０１２３】
本実施形態においては、効果識別情報は、効果発生履歴情報保持部１６０１に保持された効果発生履歴情報に基づいて変化する効果を識別するための情報である。例えば、最初に効果が発生するときは、弱い効果を発生し、次に効果が発生するときには、少し強い効果を発生することを識別するための情報となる。最初に発生する効果かどうか、次に発生する効果かどうかは、効果発生履歴情報保持部１６０１に保持された効果発生履歴情報を参照して決定される。
【０１２４】
本実施形態においては、効果識別情報は、効果発生履歴情報保持部１６０１に保持された効果発生履歴情報を参照するプログラムであってもよい。
【０１２５】
（実施形態１５：主な効果）
本実施形態によれば、効果の発生の履歴に基づいて効果を発生させることができるので、例えば、再生装置の利用者に同じ効果だけを繰り返し与えて飽きさせてしまうことを避けることができる。
【０１２６】
（実施形態１６）
本発明の実施形態１６として、再生対象を音声とした再生装置について説明する。
【０１２７】
（実施形態１６：構成）
本実施形態に係る再生装置の構成は、実施形態１に係る再生装置の構成と同じである。ただし、本実施形態においては、再生対象は音声となる。したがって、例えば、ＭＰ３などのフォーマットで記録された音声が再生対象保持部２０１に保持される。
【０１２８】
（実施形態１６：主な効果）
本実施形態によれば、再生対象が音声なので、音声の再生を、効果を伴なって感情豊かにしたり、インパクトを伴なったりして行なうことができる。
【０１２９】
（実施形態１７）
本発明の実施形態１７として、条件情報が、再生対象である音声が所定の発音であるような再生装置について説明する。
【０１３０】
（実施形態１７：構成）
本実施形態に係る再生装置の構成は、実施形態１６に係る再生装置と同じである。ただし、本実施形態においては、条件情報は、再生対象である音声が所定の発音であるという条件を表わす情報となる。
【０１３１】
このため、判断部２０４は、音声を認識するための音声認識手段を有してもよく、音声認識手段が再生部で再生されている音声が特定の発音になった場合に条件情報が満たされたと判断してもよい。
【０１３２】
（実施形態１７：主な効果）
本実施形態によれば、音声が特定の発音になったときに条件情報が満たされたと判断されるので、例えば、語学の勉強のために、音声を文字として表示することが可能となる。すなわち、特定の発音がされたことを条件情報とし、その条件情報に対応する効果識別情報として、その発音に相当する単語や発音記号を表示するという効果を識別するようにできる。
【０１３３】
（実施形態１８）
本発明の実施形態１８として、所定の音圧になると効果を発生させることができる再生装置について説明する。
【０１３４】
（実施形態１８：構成）
本実施形態に係る再生装置の構成は、実施形態１６に係る再生装置と同じである。ただし、本実施形態においては、条件情報は、再生対象である音声が所定の音圧であるという条件を表わす情報となる。「音圧」とは、音の大きさである。
【０１３５】
（実施形態１８：主な効果）
本実施形態によれば、音声が所定の音圧になったときに条件情報が満たされたと判断されるので、例えば、無音状態から有音状態になったことを光などで知らせたりすることができる。また、再生装置が破壊されたり、視聴する者の健康を害したりするような音圧になることを検出すると、再生を停止するなどの処理を実現することができる。
【０１３６】
（実施形態１９）
本発明の実施形態１９として、再生対象が表示対象及び音声である再生装置について説明する。
【０１３７】
（実施形態１９：構成）
本実施形態に係る再生装置の構成は、実施形態１に係る再生装置の構成と同じである。ただし、本実施形態においては、再生対象は、表示対象及び音声である。
【０１３８】
（実施形態１９：主な効果）
本実施形態によれば、表示対象の再生により視覚に訴え、音声の再生により聴覚に訴えることができる。
【０１３９】
（実施形態２０）
本発明の実施形態２０として、表示対象が所定の条件を満たし、かつ、音声が所定の条件を満たすと効果を発生することができる再生装置について説明する。
【０１４０】
（実施形態２０：構成）
本実施形態に係る再生装置の構成は、実施形態１９に係る再生装置と同じである。ただし、本実施形態においては、条件情報が、表示対象が所定の条件を満たし、かつ、音声が所定の条件を満たすことを示す情報となっている。すなわち、条件情報が、表示対象に関する条件と音声に関する条件とから構成され、この２つの条件が同時あるいは前後して満たされた場合に効果を発生させることができる。
【０１４１】
（実施形態２０：主な効果）
本実施形態によれば、例えば、視覚に訴える再生と聴覚に訴える再生とが同時あるいは前後して所定の条件を満たすと効果を発生させることが可能となるので、感情豊かにあるいはインパクトを伴なって再生対象を再生することができる。
【０１４２】
（実施形態２１）
本発明の実施形態２１として、再生対象と同一の機会に条件情報を取得する再生装置について説明する。
【０１４３】
（実施形態２１：構成）
図１８は、本実施形態に係る再生装置の機能ブロック図を例示する。再生装置１８００は、再生対象保持部２０１と、再生部２０２と、条件情報保持部２０３と、判断部２０４と、効果発生部２０５と、第一条件情報取得部１８０１と、を有する。したがって、再生装置１８００は、実施形態１から２０のいずれか一の再生装置が、第一条件情報取得部１８０１を有した構成となっている。
【０１４４】
「第一条件情報取得部」１８０１は、再生対象と同一の機会に条件情報を取得する。例えば、再生対象を再生装置１８００にダウンロードするときに、同時に条件情報を取得する。「同時に」とは、再生対象に条件情報が含まれており、ダウンロードなどがされた再生対象から条件情報を分離することや、再生対象と条件情報とが最初から分離されており、再生対象のダウンロードと並行して条件情報のダウンロードを行なうなどのことを意味する。
【０１４５】
なお、「取得」とは、外部から得ること以外に、生成することを含んでいてもよい。すなわち、図１９（Ｂ）に例示されるように、第一条件情報取得部１８０１の外部より条件情報１９０２を得て、条件情報保持部２０３に保持させてもよいし、これ以外の形態として、図１９（Ａ）に例示されるように、第一条件情報取得部１８０１の内部で条件情報１９０１を生成して、条件情報保持部２０３に保持させてもよい。この場合、条件情報の生成は、例えば、条件情報を含んだ再生対象より、条件情報を分離することにより、条件情報を生成するようになっていてもよい。
【０１４６】
（実施形態２１：主な効果）
本実施形態によれば、再生対象の取得と同一の機会に条件情報が取得されるので、再生対象と条件情報との関連付けを行なうことができ、再生対象の再生において、その再生対象に適した条件情報を使用することができ、感情をより豊かにして再生を行なうなどできる。
【０１４７】
（実施形態２２）
本発明の実施形態２２として、再生対象と関連付けて条件情報を取得する再生装置について説明する。
【０１４８】
（実施形態２２：構成）
図２０は、本実施形態に係る再生装置の機能ブロック図を例示する。再生装置２０００は、再生対象保持部２０１と、再生部２０２と、条件情報保持部２０３と、判断部２０４と、効果発生部２０５と、第二条件情報取得部２００１と、を有する。再生装置２０００の有する部は、これに限定されることはない。したがって、再生装置２０００は、実施形態１から２０のいずれか一の再生装置が第二条件情報取得部２００１を有する構成となっている。
【０１４９】
「第二条件情報取得部」２００１は、再生対象保持部２０１に保持された再生対象と関連付けて条件情報を取得する。条件情報の取得は、再生対象保持部２０１で保持される再生対象の取得と同一の機会に行なわれてもよい。あるいは、条件情報の取得は、再生対象保持部２０１で保持される再生対象の取得と異なる機会に行なわれてもよい。例えば、既に再生対象が再生対象保持部２０１に保持されており、第二条件情報取得部２００１は、再生対象保持部２０１に保持されている再生対象を識別して、再生対象に関連付けられている条件情報を取得してもよい。このため、第二条件情報取得部２００１は、再生対象保持部２０１で保持されている再生対象を識別する識別情報をサーバーなどに送信し、サーバーは、識別情報に関連付けられた条件情報を返信するなどする。
【０１５０】
（実施形態２２：効果）
本実施形態によれば、再生対象の取得と、条件情報の取得と、を異なる機会に行なうことができる。したがって、例えば、再生対象をレコード店などで入手した後に、コンサート会場などの別の場所で条件情報を取得することができ、人を特定の場所に誘導することなどが可能となる。
【０１５１】
（実施形態２３）
本発明の実施形態２３として、再生対象と関連付けられるべき条件情報を識別するための情報を取得する再生装置について説明する。
【０１５２】
（実施形態２３：構成）
図２１は、本実施形態に係る再生装置の機能ブロック図を例示する。再生装置２１００は、再生対象保持部２０１と、再生部２０２と、条件情報保持部２０３と、判断部２０４と、効果発生部２０５と、条件情報識別情報取得部２１０１と、を有する。再生装置２１００は、これ以外の部を有していてもよい。したがって、再生装置２１００は、実施形態１から２０のいずれか一の再生装置が条件情報識別情報取得部２１０１を有した構成となる。
【０１５３】
「条件情報識別情報取得部」２１０１は、条件情報識別情報を取得する。「条件情報識別情報」とは、再生対象保持部に保持された再生対象と関連付けられるべき条件情報を識別するための情報である。
【０１５４】
（実施形態２３：好適な例と主な効果の例）
本実施形態に係る再生装置は、次のような場合に好適である。すなわち、先に条件情報が条件情報保持部２０３に保持されている。このとき、条件情報保持部２０３は、条件情報を複数のグループに分類して保持していてもよい。そして、再生対象保持部２０１が再生対象を保持する。このとき、条件情報識別情報を取得することにより、再生対象と関連付けられるべき条件情報がどれであるかを得る。条件情報識別情報は、条件情報のグループを指定することにより、再生対象と条件情報を関連付けてもよい。これにより、再生対象が再生されるときに、どの条件情報を用いるべきかを指定することができる。
【０１５５】
（実施形態２４）
本発明の実施形態２４として、条件情報を複数保持可能な再生装置について説明する。
【０１５６】
（実施形態２４：構成）
本実施形態に係る再生装置は、実施形態１から２３のいずれか一に係る再生装置と同じである。ただし、本実施形態においては、条件情報保持部は、複数の条件情報を保持可能である。実施形態２３で述べたように複数の条件情報をグループに分類して保持していてもよい。
【０１５７】
（実施形態２４：主な効果）
本実施形態によれば、条件情報が複数保持されるので、例えば、再生対象の取り換えが行なわれるときに、それに伴なって条件情報を取り換える必要がなくなる。
【０１５８】
（実施形態２５）
本発明の実施形態２５として、効果を発生するための情報を保持する再生装置について説明する。
【０１５９】
（実施形態２５：構成）
図２２は、本実施形態に係る再生装置の機能ブロック図を例示する。再生装置２２００は、再生対象保持部２０１と、再生部２０２と、条件情報保持部２０３と、判断部２０４と、効果発生部２０５と、を有し、効果発生部２０５は、効果発生情報保持手段２２０１を有している。再生装置２２００は、他の部や手段を有していてもよい。したがって、本実施形態に係る再生装置は、実施形態１から２４のいずれか一の再生装置の効果発生部２０５が効果発生情報保持手段２２０１を有した構成となっている。
【０１６０】
「効果発生情報保持手段」２２０１は、効果発生情報を保持する。「効果発生情報」とは、効果識別情報にて識別されて効果を発生するための情報である。例えば、効果識別情報が、「ビープ音を鳴らす」という効果を識別する場合、効果発生情報は、ビープ音の音色や音の高さ、音の長さなどを指定する情報である。
【０１６１】
なお、図２３に例示されるように、効果発生情報保持手段は、単に効果発生情報を保持しているだけでなく、効果発生情報を効果識別情報と関連付けて保持していてもよい。これにより、例えば、ビープ音を鳴らす効果とバイブレータを起動する効果とを区別して効果識別情報を保持することができる。
【０１６２】
（実施形態２５：主な効果）
本実施形態により、効果発生情報が保持されるので、効果が効果識別情報により指定されても、再生装置ごとにその効果を変更することが可能となる。
【０１６３】
（実施形態２６）
本発明の実施形態２６として、効果発生情報が複数保持されている再生装置について説明する。
【０１６４】
（実施形態２６：構成）
本実施形態に係る再生装置の構成は、実施形態２５に係る再生装置と同じである。ただし、本実施形態においては、効果発生情報保持手段は、効果発生情報を複数保持する。
【０１６５】
（実施形態２６：主な効果）
本実施形態によれば、効果発生情報を複数保持することができるので、同じ効果が指定されても、ＴＰＯなどに応じて、その効果発生情報を変化させることができる。また、再生装置が、複数の効果が発生可能である場合、それぞれの効果に対応する効果発生情報を保持することができる。
【０１６６】
（実施形態２７）
本発明の実施形態２７として、効果発生情報を取得する再生装置について説明する。
【０１６７】
（実施形態２７：構成）
図２４は、本実施形態に係る再生装置の機能ブロック図を例示する。再生装置２４００は、再生対象保持部２０１と、再生部２０２と、条件情報保持部２０３と、判断部２０４と、効果発生部２０５と、を有する。効果発生部２０５は、効果発生情報保持手段２２０１と、効果発生情報取得手段２４０１と、を有する。再生装置２４００は、他の部、手段を有していてもよい。したがって、本実施形態に係る再生装置は、実施形態２５に係る再生装置の効果発生部２０５が、効果発生情報取得手段２４０１を有した構成となっている。
【０１６８】
「効果発生情報取得手段」２４０１は、効果発生情報を取得する。例えば、再生装置の外部からダウンロードすることにより取得する。あるいは、効果発生情報が蓄積されたメモリカードなどの記憶媒体が再生装置に接続され、蓄積された効果発生情報を取得する。
【０１６９】
取得された効果発生情報は、効果発生情報保持手段２２０１により保持される。
【０１７０】
（実施形態２７：主な効果）
本実施形態によれば、効果発生情報を再生装置が取得することができるので、例えば、再生装置の外部から効果発生情報を導入することができる。これにより、発生する効果を、再生装置の所持者の好みなどに応じて変化させることができる。
【産業上の利用可能性】
【０１７１】
本発明に係る再生装置は、視線誘導を行なうことなく、視聴者に情報の再生を、感情表現を豊かにするなどの効果を伴なって行なうことができ、また、再生対象は、制御文を含む必要がなく、また、視聴者の好みに応じた効果を発生させることができるので、情報を再生する再生装置として有用である。
【図面の簡単な説明】
【０１７２】
【図１】本発明を電子メールの表示に適用した場合の一例図
【図２】特定の文字列と所定の効果を対応付けた表の一例図
【図３】本発明の実施形態１に係る再生装置の機能ブロック図
【図４】再生対象保持部２０１が再生対象を保持している状態の概念図
【図５】再生部２０２の内部の構造の一例図
【図６】再生対象がテキスト情報である場合の再生部２０２の内部の構造の一例図
【図７】条件情報保持部２０３が、条件情報を、効果識別情報と関連付けて保持している状態の概念図
【図８】条件情報と再生対象とを関連付けた表の一例図
【図９】判断部２０４の内部の構造の一例図
【図１０】判断部２０４の処理の流れ図
【図１１】条件情報保持部２０３、判断部３０４、効果発生部２０５、判断結果、効果識別情報の関係の一例図
【図１２】効果発生部２０５の処理の流れ図
【図１３】再生装置を実現するための計算機の機能ブロック図
【図１４】所定エリアの一例図
【図１５】本発明の実施形態３に係る再生装置の機能ブロック図
【図１６】本発明の実施形態１５に係る再生装置の機能ブロック図
【図１７】効果発生履歴情報が表の形式で記憶された状態の一例図
【図１８】本発明の実施形態２１に係る再生装置の機能ブロック図
【図１９】第一条件情報取得部１８０１による条件情報の取得を説明するための図
【図２０】本発明の実施形態２２に係る再生装置の機能ブロック図
【図２１】本発明の実施形態２３に係る再生装置の機能ブロック図
【図２２】本発明の実施形態２５に係る再生装置の機能ブロック図
【図２３】効果発生情報保持手段が効果発生情報を効果識別情報と関連付けて保持していることを示す一例図
【図２４】本発明の実施形態２７に係る再生装置の機能ブロック図
【符号の説明】
【０１７３】
２００  再生装置
２０１  再生対象保持部
２０２  再生部
２０３  条件情報保持部
２０４  判断部
２０５  効果発生部
【図１】
2005135190.tif 000003
【図２】
2005135190.tif 000004
【図３】
2005135190.tif 000005
【図４】
2005135190.tif 000006
【図５】
2005135190.tif 000007
【図６】
2005135190.tif 000008
【図７】
2005135190.tif 000009
【図８】
2005135190.tif 000010
【図９】
2005135190.tif 000011
【図１０】
2005135190.tif 000012
【図１１】
2005135190.tif 000013
【図１２】
2005135190.tif 000014
【図１３】
2005135190.tif 000015
【図１４】
2005135190.tif 000016
【図１５】
2005135190.tif 000017
【図１６】
2005135190.tif 000018
【図１７】
2005135190.tif 000019
【図１８】
2005135190.tif 000020
【図１９】
2005135190.tif 000021
【図２０】
2005135190.tif 000022
【図２１】
2005135190.tif 000023
【図２２】
2005135190.tif 000024
【図２３】
2005135190.tif 000025
【図２４】
2005135190.tif 000026